(57)【要約】【課題】屋外側からなどの不正な解錠操作を防止する。【解決手段】錠箱機構部に連結される連結軸５と、回動自在に支持される軸部２９を備える摘み部２７と、連結軸５と軸部２９とを連結し摘み部２７の回転操作を連結軸５に伝達する多角錐形状の軸状部４３と多角錐形状の軸孔部４１とで構成される自在継手４０と、軸部２９の外周に巻回されるコイル状バネよりなり軸部２９の中心軸線Ｌ２を連結軸５の中心軸線Ｌ１と略同一線上となるように軸部２９を支持する摘みバネ３９と、軸部２９の外周表面に突設される係合凸部３３と、軸部２９の外周表面より所定間隔をあけてその周囲に配設され、連結軸５の中心軸線Ｌ１に対し軸部２９の中心軸線Ｌ２がずれた際に係合凸部３３と係合可能な係合凹部１９とを具備する。【選択図】        図１
2004339692.tif 000002
【特許請求の範囲】
【請求項１】
錠箱機構部に連結される連結軸と、
扉面に突出し回動自在に支持される摘み部と、
前記連結軸と前記摘み部とを連結し、該摘み部の回転操作を前記連結軸に伝達する自在継手と、
を具備することを特徴とするサムターン。
【請求項２】
錠箱機構部に連結される連結軸と、
扉面に突出し回動自在に支持される軸部を備える摘み部と、
前記連結軸と前記摘み部の軸部とを連結し、該摘み部の回転操作を前記連結軸に伝達する自在継手と、
前記軸部の外周表面に放射方向に突設される係合凸部と、
前記摘み部の軸部の外周表面より所定間隔をあけてその周囲に配設され、前記係合凸部と係合可能な係合凹部と、
を具備することを特徴とするサムターン。
【請求項３】
錠箱機構部に連結される連結軸と、
扉面に突出し回動自在に支持される軸部を備える摘み部と、
前記連結軸と前記摘み部の軸部とを連結し、該摘み部の回転操作を前記連結軸に伝達する自在継手と、
前記摘み部の軸部の中心軸線を前記連結軸の中心軸線に対して所定角度となるように前記軸部を支持する支持手段と、
前記軸部の外周表面に放射方向に突設される係合凸部と、
前記摘み部の軸部の外周表面より所定間隔をあけてその周囲に配設され、前記係合凸部と係合可能な係合凹部と、
を具備することを特徴とするサムターン。
【請求項４】
前記支持手段は、前記摘み部の軸部の外周に巻回されるコイル状バネよりなることを特徴とする請求項３記載のサムターン。
【請求項５】
前記自在継手は、多角錐形状の軸状部と、多角錐形状の軸孔部とで構成され、前記軸状部の先端側と軸孔部の底部側とが相対回転不能に互いに嵌合し回転を伝達するとともに、前記軸孔部の開口部の内径が前記軸状部の基端部の外径に対して大径とされ、所望の間隙を有することを特徴とする請求項１，２，３，４のいずれか１つに記載のサムターン。
【請求項６】
前記摘み部には、中心軸線を挟んで互いに外方向に延出する一対の指掛け片を備えることを特徴とする請求項１，２，３，４，５のいずれか１つに記載のサムターン。
【発明の詳細な説明】
【０００１】
【発明の属する技術分野】
本発明は、扉などの開閉体に内蔵された錠箱機構部に対し回転による操作力を入力し、錠箱内に設けたロック部材を開閉体枠に対して進退動作させるサムターンに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、下記特許文献１に示されるような翼板形状のサムターンの摘みが回転操作されるのみで、デッドボルトが進退され、開閉体の施解錠が簡便に行えるようになっている。
【０００４】
【特許文献１】
特公平２−１５７１５号公報（第１図ｂ，第１図ｃ）
【０００５】
【発明が解決しようとする課題】
近年、マンションや住宅の玄関扉等の開閉体、あるいはこれら玄関扉等の開閉体近傍における開口枠体の周囲である壁部分に、高級感や優美性を高める目的で、ガラス板を嵌め込んだ小窓付のものが多用されるようになってきている。
ところが、このような開閉体の小窓や壁部分の小窓では、ガラス板が割られると、外部から、手を差し入れてサムターンを不正に操作したり、先端を鉤状に曲げた針金や棒等を挿入して、サムターンが不正に操作されてしまう虞れがある。
【０００６】
一般的に、扉に多用される回転式のサムターンは、屋内側に露出する摘み部の翼板部に針金の鉤状先端等を掛止し、回転モーメントを与えることにより不正な解錠操作が可能となる場合がある。
【０００７】
また、サムターンは、小窓の無い開閉体においても、針金を挿入する隙間や孔などが開閉体自体あるいは壁部分にあれば、同様に不正解錠される虞れがあった。
【０００８】
本発明は上記状況に鑑みてなされたもので、屋外側からの挿入等の不正な解錠を防止することのできるサムターンを提供し、もって、施錠装置の不正解錠防止機能の向上を図ることを目的とする。
【０００９】
【課題を解決するための手段】
次に、上記の課題を解決するための手段を、実施の形態に対応する図面を参照して説明する。
この発明の請求項１記載のサムターン３は、錠箱機構部に連結される連結軸５と、
扉面に突出し回動自在に支持される摘み部２７と、
前記連結軸５と前記摘み部２７とを連結し、該摘み部２７の回転操作を前記連結軸５に伝達する自在継手４０と、
を具備することを特徴とする。
【００１０】
このようなサムターン３によれば、錠箱機構部側となる連結軸５と、回転操作を行う側である摘み部２７との両中心軸線Ｌ１，Ｌ２が、同一直線上でない構成を得ることができ、これにより、錠箱機構部の配置状態に関わらずに、摘み部２７の位置を角度を変えて配置可能となり、すなわち扉１のデザインに応じ、サムターン２７の突出状態、例えば斜めに突出配置などの変更が可能となり、デザイン性の自由度が増すこととなる。
【００１１】
請求項２記載のサムターンは、錠箱機構部に連結される連結軸５と、
扉面に突出し回動自在に支持される軸部２９を備える摘み部２７と、
前記連結軸５と前記摘み部２７の軸部２９とを連結し、該摘み部２７の回転操作を前記連結軸５に伝達する自在継手４０と、
前記軸部２９の外周表面に放射方向に突設される係合凸部３３と、
前記摘み部２７の軸部２９の外周表面より所定間隔をあけてその周囲に配設され、前記係合凸部３３と係合可能な係合凹部１９と、
を具備することを特徴とする。
【００１２】
このサムターンによれば、摘み部２７の軸部２９と、連結軸５との両中心軸線Ｌ１，Ｌ２を所定角度に、例えば、軸部２９と連結軸５との中心軸線Ｌ１，Ｌ２を略同一線上となるように配置設定し、そして、摘み部２７を摘み、回転操作することで、連結軸５側の中心軸線Ｌ１と摘み部２７側の中心軸線Ｌ２とを偏芯させずに、その摘み部２７の回転力を連結軸５に伝達させることで、錠箱機構部に対して施解錠の操作を行うことが可能である。
また、この摘み部２７の回転操作を、正しく行えない場合、すなわち針金などによる不正な操作である場合は、摘み部２７を回転しようとすると、この摘み部２７と連結軸５とを連結する自在継手４０によって連結軸５側に対し摘み部２７側が偏芯し、互いの中心軸線Ｌ１，Ｌ２をずらすこととなって、これにより摘み部２７の軸部２９の係合凸部３３がその周囲に配置される係合凹部１９に係合し、回転が阻止されて、連結軸５の回転を不可能とし、そして、操作力を錠箱機構部に入力して解錠を行うことができず、施錠装置の防犯性を向上させることとなる。
【００１３】
請求項３記載のサムターンは、錠箱機構部に連結される連結軸５と、
扉面に突出し回動自在に支持される軸部２９を備える摘み部２７と、
前記連結軸５と前記摘み部２７の軸部２９とを連結し、該摘み部２７の回転操作を前記連結軸５に伝達する自在継手４０と、
前記摘み部２７の軸部２９の中心軸線Ｌ２を前記連結軸５の中心軸線Ｌ１に対して所定角度となるように前記軸部２９を支持する支持手段３９と、
前記軸部２９の外周表面に放射方向に突設される係合凸部３３と、
前記摘み部２７の軸部２９の外周表面より所定間隔をあけてその周囲に配設され、前記係合凸部３３と係合可能な係合凹部１９と、
を具備することを特徴とする。
【００１４】
このサムターンによれば、摘み部２７の軸部２９と、連結軸５との両中心軸線Ｌ１，Ｌ２を所定角度に、例えば、軸部２９と連結軸５との中心軸線Ｌ１，Ｌ２を略同一線上となるように配置設定し、支持手段３９にて摘み部２７の軸部２９を支持することで、摘み部２７の回転操作を正しく行う場合に、この摘み部を回し易くする。そして、通常の操作においては、摘み部２７を正面から摘み、回転操作することで、連結軸５側の中心軸線Ｌ１と摘み部２７側の中心軸線Ｌ２とは偏芯することがなく、その摘み部２７の回転力を連結軸５に伝達が可能であり、すなわち錠箱機構部に対して施解錠の操作を行うことが可能である。
また、この摘み部２７の回転操作を、正しく行えない場合、すなわち針金などによる不正な操作である場合は、摘み部２７を回転しようとすると、この摘み部２７と連結軸５とを連結する自在継手４０によって連結軸５側に対し摘み部２７側が偏芯し、互いの中心軸線Ｌ１，Ｌ２をずらすこととなって、これにより摘み部２７の軸部２９の係合凸部３３がその周囲に配置される係合凹部１９に係合し、回転が阻止されて、連結軸５の回転を不可能とし、そして、操作力を錠箱機構部に入力して解錠を行うことができず、施錠装置の防犯性を向上させることとなる。
【００１５】
請求項４記載のサムターンは、請求項３記載のサムターンにおいて、前記支持手段３９は、前記摘み部２７の軸部２９の外周に巻回されるコイル状バネよりなることを特徴とする。
【００１６】
このサムターン３によれば、支持手段３９を１つのコイル状バネで構成できるので、軸線合せなどの調整が容易となり、このサムターン３の製作が容易なものとなる。また、部品点数が増加せず、構成が簡素となるとともに安価に得ることが可能である。
【００１７】
請求項５記載のサムターンは、請求項１，２，３，４のいずれか１つに記載のサムターンにおいて、前記自在継手４０は、多角錐形状の軸状部４３と、多角錐形状の軸孔部４１とで構成され、前記軸状部４３の先端４３ａ側と軸孔部４１の底部３２側とが相対回転不能に互いに嵌合し回転を伝達するとともに、前記軸孔部４１の開口部３１の内径が前記軸状部４３の基端部４３ｂの外径に対して大径とされ、所望の間隙を有することを特徴とする。
【００１８】
このサムターンによれば、自在継手４０を、多角錐で構成することから、その形状が複雑でなく、互いの挿着にて連結可能な構成であり、容易に得られるものである。また、メンテナンス時などの場合に、容易に分解でき、さらには、摘み部２７の形状を変更させるなど、サムターンとしてのデザイン変更などに対応可能である。
【００１９】
請求項６記載のサムターンは、請求項１，２，３，４，５のいずれか１つに記載のサムターンにおいて、前記摘み部２７には、中心軸線Ｌ２を挟んで互いに外方向に延出する一対の指掛け片２８を備えることを特徴とする。
【００２０】
このサムターンによれば、一対の指掛け片２８，２８のそれぞれを略同時に使用して回転操作を行わなければ連結軸５の回転を行えない構成となり、すなわち、一対の指掛け片２８，２８の一方のみを回転方向に操作することで、摘み部２７の中心軸線Ｌ２を連結軸５の中心軸線Ｌ１に対して揺動させることが可能となる。
【００２１】
【発明の実施の形態】
図１は本発明によるサムターンの実施の形態を示す側断面図を（ａ）に背面図を（ｂ）に示した図、図２は同サムターンの一部を拡大した分解斜視図、図３は同サムターンの分解側面図である。
【００２２】
扉１には図示しない錠箱を設けてあり、この錠箱はラッチボルト、デッドボルト、及びこれらを扉の木口から進退させる錠箱機構部を内設している。扉１は屋内側の面にサムターン３を備えている。上記した錠箱のデッドボルトは、扉１の屋外側の面に設けたシリンダー錠をキーによって、又はこのサムターン３を回動することによって扉木口から進退可能となる。
【００２３】
本実施の形態のサムターン３は、連結軸５と、摘み部２７と、自在継手４０と、支持手段３９と、係合凸部３３と、係合凹部２９とで略構成されている。
連結軸５は、扉１の屋内面側、好ましくは錠箱側面に固定される筒形状の固定筒７に回動自在に支持される。連結軸５には、中途にフランジ部６を有し、このフランジ部６より基端には、錠箱機構部に連結される略十字形状に形成された連結コア部８を備える。また、連結軸５のフランジ部６より先端側は、後述する自在継手４０の一方を構成している軸状部４３となっている。
【００２４】
固定筒７には、先端を覆うように内筒９を介して飾り筒１０が設けられるとともに、固定筒７の外周を覆うように化粧リング１１が取り付けられる。この化粧リング１１は、扉１の屋内面側に突出する。固定筒７と化粧リング１１とは、図１（ａ）に示すように、固定筒７先端の飾り筒１０後端と、化粧リング１１の内周縁に形成されるフランジ１１ａとの間に、固定筒７の外周を巻回するような形状の圧縮コイルバネよりなるリングバネ１２が介設される。化粧リング１１は、リングバネ１２の付勢力により、固定筒７の後端の方向に付勢され、後端側外縁が扉１に密着するようになっている。
【００２５】
固定筒７の後端側における内周面には、段部１４と係止溝１５と取付溝１６とが形成されている。段部１４は、固定筒７の中途部に位置し、後端側が大径となるよう構成され、内周面の周方向に沿って形成される。係止溝１５は、複数有し、固定筒７の軸線方向に沿い、段部１４に連通して形成される。また、取付溝１６は、段部１４より後端側に位置して周方向に形成され、略Ｃ字形状の止め輪１７が装着される。そして、段部１４には、係合凹部１９を備えたストッパリング２０が取り付けられる。
【００２６】
ストッパリング２０は、図２に示すように、無端リング状に形成されており、外周縁に複数の突片２１を備えている、ストッパリング２０は、固定筒７に取り付けられる際に、それぞれの突片２１が各係止溝１５に嵌入し、この固定筒７に対して相対回転が規制されて取り付けられる。ストッパリング２０の係合凹部１９は、後述する係合凸部３３に係合可能とされ、図２に示すように、複数形成されている。本実施の形態では等間隔に８つ形成されている。なお、このストッパリング２０と止め輪１７との間には、連結軸５のフランジ部６と、このフランジ部６に当接するスペーサワッシャ２２及び略筒形状の蓋部材２３が介設されている。この蓋部材２３を介した止め輪１７の装着により、ストッパリング２０が脱落を防止されて固定される。
【００２７】
また、固定筒７の先端側における内周面には、後述する摘み部２７を支持する支持手段が配置される段部２５が形成されている。
なお、固定筒７に回動自在に支持される連結軸５は、その中心軸線Ｌ１（図１（ａ）参照）が、固定筒７の中心軸線と略同一線上となるように設定され取り付けられる。
【００２８】
摘み部２７は、中心軸線Ｌ２（図１（ａ）参照）を挟んで互いに外方向に延出し略翼状に形成される指掛け片２８を有した略矩形平板状に形成される。また、この摘み部２７は、中心軸線Ｌ２に沿って延出する軸部２９を備え、指掛け片２８とともに図１に示すように、略Ｔ字状に形成されている。摘み部２７の後端側となる軸部２９の端部２９ａは、略円形に開口し開口部３１とされ、軸部２９は、略中空パイプ状に形成され、後述する自在継手４０の他方となる軸孔部４１とされる。
【００２９】
摘み部２７の軸部２９の外周表面には、放射方向に突出する係合凸部３３が設けられる。この係合凸部３３は、軸部２９の軸線方向と平行に沿う略条形状に形成され、複数、本実施の形態では、図２に示すように、互いに等間隔となる４つで構成されている。そして、この摘み部２７は、固定筒７に回動自在に取り付けられる。固定筒７には、図１に示すように、軸受リング３５が固着され、この軸受リング３５に軸部２９が貫通し回動自在に支持される。なお、本実施の形態では、図１に示すように、軸部２９の基端２９ｂ側のみを軸受リング３５が支持し、回動自在に支持するとともに、この軸受リング３５の位置で揺動が可能となっている。
【００３０】
固定筒７に挿着状態で取り付けられた摘み部２７は、軸部２９が固定筒７内部にて連結軸５の軸状部４３が軸孔部４１に挿入された状態となり配置される。この状態で、軸部２９の端部２９ａ近傍の周りにはストッパリング２０が位置することとなる（図２参照）。
【００３１】
軸部２９の中途部には、支持リング３７がフランジ状となって固設される。この支持リング３７は、固定筒７内にて、固定筒７内周面に形成される段部２５と対向する。これら支持リング３７と段部２５との間には、ワッシャ３６を介し支持手段としてのコイル状バネよりなる摘みバネ３９が設けられる。この摘みバネ３９は、圧縮コイルバネよりなり、軸部２９の外周に巻回されるように配置される。そして、この摘みバネ３９は、段部２５側である固定筒７に対して、軸部２９側である摘み部２７の支持状態を維持するよう構成され、すなわち固定筒７に取り付けられる連結軸５と摘み部２７の軸部２９との両中心軸線Ｌ１，Ｌ２を所定の角度となるよう支持、本実施の形態では、固定筒７の中心軸線上に軸部２９の中心軸線Ｌ２を略同一線上とし、連結軸５の中心軸線Ｌ１と摘み部２７の軸部２９中心軸線Ｌ２を同一線上となるように保持するようになっている。
【００３２】
摘み部２７の軸部２９に形成される軸孔部４１は、上述した連結軸５の軸状部４３とで、自在継手４０を構成する。この自在継手４０は、摘み部２７の軸部２９と、連結軸５とを連結し、摘み部２７側の回転を連結軸５に伝達する。本実施の形態での自在継手４０を構成する摘み部２７の軸孔部４１と連結軸５の軸状部４３とは、それぞれ多角錐形状に形成されている。
【００３３】
摘み部２７の軸孔部４１は、多角錐形状、本実施の形態では正八角錐形状に形成される有底の孔であり、開口部３１側が大径で、底部３２側を小径として構成される。また、連結軸５の軸状部４３は、軸孔部４１と同等の多角錐形状、本実施の形態では正八角錐形状に形成される略棒状であり、先端４３ａが小径で、基端４３ｂが大径に構成される。そして、軸状部４３の先端４３ａ側と軸孔部４１の底部３２側とが相対回転不能に互いに嵌合し、すなわち互いの面同士及び角同士が嵌まり合う。また、軸孔部４１の開口部３１の内径は、軸状部４３の基端部４３ｂの外径に対して大径となるよう設定され、この軸状部４３の基端部４３ｂの周囲に所望の間隙を有する。
【００３４】
なお、好ましくは、軸状部４３の先端４３ａは、稜線を備えるとともに側面が曲面状に形成される立体形状とされ、図１に示すように、軸孔部４１の底部３２において、内周側面に沿う隅部に所望の空間を有するよう構成される。このような構成とすることで、軸状部４３に対して、上記間隙の範囲内で、軸状部４３と軸孔部４１とが周方向（回転方向）に嵌合状態を維持して、軸部２９の端部２４ａ側が揺動自在となる。
【００３５】
そして、摘み部２７が固定筒７に取り付けられた状態では、摘み部２７の軸部２９の端部２９ａ近傍の外周にストッパリング２０が位置し、すなわち、軸部２９の係合凸部３３の周囲にはストッパリング２０の係合凹部１９が位置し、図２に示すように、所定間隔をあけてこれら係合凸部３３と係合凹部１９とが対向することとなる。
【００３６】
次に、このサムターン３の使用方法について説明する。
サムターン３は、通常時、図１に示すように、連結軸５の軸状部４３に対して摘み部２７の軸孔部４１が真直に、すなわち両中心軸線Ｌ１，Ｌ２が略同一線上となっている。これは、摘み部２７が、摘みバネ３９の付勢力によって、固定筒７に対して中心軸線を同一線上となるように支持されていることよりなる。
したがって、この状態で摘み部２７を摘み、回転操作を行うと、自在継手４０を介して連結軸５に対し回動を伝達することとなり、錠箱機構部に対して解錠及び施錠の操作が行われることとなる。この回動操作の際は、摘みバネ３９の支持により、摘み部２７の回動を不安定にすることなく、中心軸線周りに回動が可能である。
【００３７】
次に、施錠状態とされたサムターン３に対し、室外（屋外）より針金や棒などを用いて不正な解錠操作が行われる場合の動作について説明する。
扉１の小窓や壁部分の小窓などのガラス板が割られたり、扉との隙間や、孔などを介して、針金や棒などが挿入され、サムターン３の摘み部２７を不正に回転させようと、摘み部２７の翼板状の指掛け片２８には、針金などの先端が掛止されて、回転モーメントが与えられる。ところが、摘み部２７に対して正しく回転操作を行わずに、一対の指掛け片２８の一方のみに対して回転モーメントを与えようと力を加えると、この摘み部２７は、軸部２９における基端２９ｂ側のみを固定筒７及び軸状部４３にて中心軸線上に支持されていることから、この基端２９ｂ側を略中心として揺動が起こる。すなわち摘み部２７に対して中心軸線Ｌ２を回転中心として、一対の指掛け片２８，２８をそれぞれに略均等に回転方向の力を加えないことから、正しい回転軌道からはずれ偏芯する方向に回転することとなる。これにより、固定筒７内にて軸部２９の端部２９ａ側が、摘みバネ３９の付勢力に抗して中心軸線を外れ、大きく振れることとなる。この振れは、自在継手４０を構成する軸状部４３の基端４３ｂと軸孔部４１の開口部３１との間隙による。
【００３８】
そして、摘み部２７の軸部２９が、固定筒７内で揺動することで、軸部２９の外周の係合凸部３３が、図４（ａ），（ｂ）に示すように、その周囲に位置する係合凹部１９に係合することとなる。すなわち、係合凹部１９側の固定筒７に対して、摘み部２７の軸部２９が、それ以上回転しないよう規制されることとなる。
【００３９】
したがって、摘み部２７を針金などで回転させようとしても、その軸部２９が固定筒７内で、回転を阻止され、摘み部２７自体、回転が不能となって、摘み部２７側の回転力は連結軸５へと伝達させることが不可能となる。すなわち摘み部２７の操作時に、中心軸線Ｌ２を真直に保って回転させなければ、その外周に位置する係合凹部１９に係合凸部３３が係合して、回転を規制させてしまう。これにより、不正な解錠操作などを防止させることが可能となる。
【００４０】
なお、図４（ａ）に示した摘み部２７の揺動角度αは、約３°とされ、この揺動角度αにて、軸部２９の揺動が係合凸部３３の突出方向と同方向の場合では図４（ｂ）に示すように、軸部２９の端部２９ａが距離Ａの揺動を起こし、また、軸部２９の揺動が２つの係合凸部３３間の方向の場合では図５に示すように、軸部２９の端部２９ａが距離Ｂの揺動を起こし、係合凸部３３と係合凹部１９とが係合状態となる。
【００４１】
このように、上記のサムターン３によれば、通常状態における通常の操作では、摘み部２７を正面から摘み、一対の指掛け片２８に対し、それぞれ回転力を略均等に与えるよう操作を行う、例えば親指と人指し指とで互いに逆方向へとひねるように操作することから、連結軸５側の中心軸線Ｌ１と摘み部２７側の中心軸線Ｌ２とは偏芯することがなく、その摘み部２７の回転力を連結軸５に伝達が可能であり、すなわち錠箱機構部に対して施解錠の操作を行うことが可能である。そして、錠箱機構部側の連結軸５と操作側の摘み部２７とは、自在継手４０を介して連結状態であることから確実に操作を伝達でき、施解錠の操作を行うことが可能である。また、針金などを用いた不正な操作にて、摘み部２７を回転しようとすると、一対の指掛け片２８に対し一方の指掛け片２８にのみ回転力を与えるような操作となることから、この摘み部２７と連結軸５とを連結する自在継手４０によって連結軸５側に対し摘み部２７側が偏芯し、互いの中心軸線Ｌ１，Ｌ２をずらすこととなって、これにより摘み部２７の軸部２９の係合凸部３３がその周囲に配置される係合凹部１９に係合し、回転が阻止されて、連結軸５の回転を不可能とし、そして、操作力を錠箱機構部に入力して解錠を行うことができず、施錠装置の防犯性を向上させることができる。
なお、上記実施の形態での自在継手４０によれば、錠箱機構部側の連結軸５と摘み部２７とは、別体構成であり、分割が可能であることから、例えば、扉面のデザイン変更に合せて、サムターンとしての摘み部２７の形状変更を行うこと、すなわち、摘み部２７のみ交換を行うことが可能であり、また、摘み部２７を変えずに連結軸５側、錠箱機構部側を変えるなどにも対応できる。
【００４２】
なお、上述した実施の形態では、自在継手４０の構造として、連結軸５側を多角錐形状の軸状部４３とし、摘み部２７側を多角錐形状の軸孔部４１とした組合せで構成した例について述べたが、この自在継手４０は、連結軸５側を多角錐形状の軸孔部とし、摘み部２７側を多角錐形状の軸状部とした組合せとしてもよく、また、その他の構造としても良い。例えば、図６に示すような、十字形に構成されるピン５１を介し一対の腕５２のある軸体で構成される所謂ユニバーサルジョイント５０や、図７に示すような、膨出球状多面体６１と多角形孔６２とを組み合わせる自在継手６０などで構成させてもよく、連結軸５側に対して摘み部２７側が揺動する連結構成で、摘み部２７側を支持手段３９にて支持させ、摘み部２７側に係合凸部３３及び係合凹部１９を設ける構成とすれば、上記同様の効果を得られるものである。
【００４３】
また、上述した実施の形態では、支持手段として、摘み部２７の軸部２９の外周に巻回状態に配設されるコイル状バネを用いて摘みバネ３９として構成した例について述べたが、この摘みバネ３９とされる支持手段は、その他の構成としてもよく、例えば、図８に示すような、軸部２９の外周を囲むように複数で構成して配置する小径な圧縮コイルバネ３９としてもよく、或いは、ゴムや樹脂などの十分に柔軟性のある素材、例えば図９に示すような、チューブ状のＯリング３９に構成し、軸部２９の外周に嵌め込み、支持させる構成などとしてもよい。さらには、摘み部２７の軸部２９及び連結軸５の各中心軸線Ｌ１，Ｌ２が鉛直方向であれば、上記のような支持手段３９を用いなくともよい。
【００４４】
さらに、上述した実施の形態では、摘み部２７の形状を、略翼板状の一対の指掛け片２８にて構成させる例について述べたが、正面視で楕円形となるような曲面で構成される形状のものとしてもよい。このような構成の摘み部２７とすれば、不正に針金などで掛け回そうとしても、上述したように中心軸線がずれることで連結軸５への回転の伝達を阻止するとともに、摘み部２７自体の表面にて滑らせることとなり、針金などの掛止がさらに行い難くなり、防犯性が向上する。
【００４５】
また、上述した実施の形態では、連結軸５の中心軸線Ｌ１と、摘み部２７の軸部２９の中心軸線Ｌ２とを略同一線上として構成した例について述べたが、これら中心軸線Ｌ１，Ｌ２は、予め所定の角度に設定されて構成されることとしても良い。例えば、扉１内に配設される錠箱機構部と扉１の表面とに所定の角度を有するようなデザインの場合、すなわち、錠箱機構部に対して、サムターンが斜めに突出して構成される場合であっても、錠箱機構部側の連結軸５と、摘み部２７とが自在継手４０で連結される構成であることから、互いの中心軸線Ｌ１，Ｌ２が同一直線上とされてなくとも、摘み部２７の回転は連結軸５に伝達が可能である。なお、このような構成の場合に、自在継手を多段、すなわち自在継手を直列に複数接続する構成としてもよい。そして、この所定の角度を基準に支持手段３９にて摘み部２７側を支持する構造とすれば、上記同様の効果が得られるものである。このような構成によれば、扉側のデザインなどによるサムターンの突出状態、すなわち配設位置、配設向きを自由にアレンジでき、さらには、扉面に対して手指の向きを変えることが困難な場合にも対応できるサムターンを得ることが可能となる。
【００４６】
【発明の効果】
以上説明したように本発明による請求項１のサムターンでは、錠箱機構部側となる連結軸と、回転操作を行う側である摘み部との両中心軸線が、同一直線上でない構成を得ることができ、これにより、錠箱機構部の配置状態に関わらずに、摘み部の位置を角度を変えて配置可能となり、すなわち扉のデザインに応じ、サムターンの突出状態、例えば斜めに突出配置などの変更が可能となり、デザイン性の自由度が増す効果を得られる。また、摘み部の回転操作を、連結軸の中心軸線の方向に関わらず、行うことができ、錠箱機構部に対する施解錠の操作に自由度を得ることが可能となる。
【００４７】
請求項２記載のサムターンでは、摘み部の軸部と、連結軸との両中心軸線を所定角度に、例えば、軸部と連結軸との中心軸線を略同一線上となるように配置設定し、そして、摘み部を摘み、回転操作することで、連結軸側の中心軸線と摘み部側の中心軸線とを偏芯させずに、その摘み部の回転力を連結軸に伝達させることで、錠箱機構部に対して施解錠の操作を行うことが可能である。また、この摘み部の回転操作を、正しく行えない場合、すなわち針金などによる不正な操作である場合は、摘み部を回転しようとすると、この摘み部と連結軸とを連結する自在継手によって連結軸側に対し摘み部側が偏芯し、互いの中心軸線をずらすこととなって、これにより摘み部の軸部の係合凸部がその周囲に配置される係合凹部に係合し、回転が阻止されて、連結軸の回転を不可能とし、そして、操作力を錠箱機構部に入力して解錠を行うことができず、施錠装置の防犯性を向上させることとなる。
【００４８】
請求項３記載のサムターンでは、摘み部の軸部と、連結軸との両中心軸線を所定角度に、例えば、軸部と連結軸との中心軸線を略同一線上となるように配置設定し、支持手段にて摘み部の軸部を支持することで、摘み部の回転操作を正しく行う場合に、この摘み部を回し易くする。そして、通常の操作においては、摘み部を正面から摘み、回転操作することで、連結軸側の中心軸線と摘み部側の中心軸線とは偏芯することがなく、その摘み部の回転力を連結軸に伝達が可能であり、すなわち錠箱機構部に対して施解錠の操作を行うことが可能である。一方、この摘み部の回転操作を、正しく行えない場合、すなわち針金などによる不正な操作である場合は、摘み部を回転しようとすると、この摘み部と連結軸とを連結する自在継手によって連結軸側に対し摘み部側が偏芯し、互いの中心軸線をずらすこととなって、これにより摘み部の軸部の係合凸部がその周囲に配置される係合凹部に係合し、回転が阻止されて、連結軸の回転を不可能とし、そして、操作力を錠箱機構部に入力して解錠を行うことができず、施錠装置の防犯性を向上させることとなる。
【００４９】
請求項４記載のサムターンでは、支持手段を１つのコイル状バネで構成できるので、軸線合せなどの調整が容易となり、このサムターンの製作が容易なものとなる。また、部品点数が増加せず、構成が簡素となるとともに安価に得ることが可能となる。
【００５０】
請求項５記載のサムターンでは、自在継手を、多角錐で構成することから、その形状が複雑でなく、互いの挿着にて連結可能な構成であり、容易に得ることができる。また、メンテナンス時などの場合に、容易に分解でき、さらには、摘み部の形状を変更させるなど、サムターンとしてのデザイン変更などにも対応可能である。
【００５１】
請求項６記載のサムターンでは、一対の指掛け片のそれぞれを略同時に使用して回転操作を行わなければ連結軸の回転を行えない構成となり、すなわち、一対の指掛け片の一方のみを回転方向に操作することで、摘み部の中心軸線を連結軸の中心軸線に対して揺動させることが可能となる。このことから、正しい回転操作が行える場合にのみ施解錠の操作が行えることとなり、その他の不正な操作などの場合に解錠を不可能とする施錠装置を得ることが可能となる。
【図面の簡単な説明】
【図１】本発明によるサムターンの実施の形態を示す側断面図を（ａ）に背面図を（ｂ）に示した図である。
【図２】同サムターンの一部を拡大した分解斜視図である。
【図３】同サムターンの分解側面図である。
【図４】同サムターンの動作の側断面図を（ａ）に背面図を（ｂ）に示した説明図である。
【図５】同サムターンの動作を示した背面図である。
【図６】他の実施の形態のサムターンを示す側断面図である。
【図７】他の実施の形態のサムターンを示す側断面図である。
【図８】他の実施の形態のサムターンを示す側断面図である。
【図９】他の実施の形態のサムターンを示す側断面図である。
【符号の説明】
１…扉
３…サムターン
５…連結軸
１９…係合凹部
２７…摘み部
２８…指掛け片
２９…軸部
３１…開口部
３２…底部
３３…係合凸部
３９…支持手段（摘みバネ）
４０…自在継手
４１…軸孔部
４３…軸状部
４３ａ…先端
４３ｂ…基端部
Ｌ１，Ｌ２…中心軸線
【図１】
2004339692.tif 000003
【図２】
2004339692.tif 000004
【図３】
2004339692.tif 000005
【図４】
2004339692.tif 000006
【図５】
2004339692.tif 000007
【図６】
2004339692.tif 000008
【図７】
2004339692.tif 000009
【図８】
2004339692.tif 000010
【図９】
2004339692.tif 000011